(57)【要約】  【目的】  操作によってペン先を出没係止する出没式筆記具でありながら、落下などの衝撃が付与された場合においてもインキの飛散する危険が極力回避されたものを得る。  【構成】  外装体の先端開口部に、弾性材料からなる蓋体を外装体の外部分に突出する部分があるように配置し、この蓋体がリフィルのペン先が当接するようになす。【選択図】        図１
2006150863.tif 000002
【特許請求の範囲】
【請求項１】
操作によって、外装体内をボールペンチップペン先を備えるリフィルが前後移動可能となして、ボールペンチップペン先を外装体の先端開口部より突出状態及び没入状態にそれぞれ維持可能な出没式ボールペンにおいて、前記外装体の先端開口部に、弾性材料を主体とした蓋体を、外装体の外に突出する部分があるように配置し、該蓋体が、外装体内に没入した状態の前記ボールペンチップペン先と接触し、該ボールペンチップペン先のインキ吐出口を閉塞状態に覆うことを特徴とした出没式ボールペン。
【請求項２】
前記蓋体が周状に形成された外方突部が外装体開口部よりの抜け止め手段となっている請求項１記載の出没式ボールペン。
【請求項３】
前記蓋体が、外装体の開口部に設置された状態で、外装体の外位置から外装体内にまで延在する凹部を有する請求項１又は請求項２に記載の出没式ボールペン。
【請求項４】
前記蓋体が、ニトリルゴム、水素化ニトリルゴム、フッ素ゴム、シリコーンゴム、フロロシリコーンゴム、エチレンプロピレンゴム、ブチルゴム、ウレタンゴム、オレフィン系エラストマー、ウレタン系エラストマー、スチレン系エラストマー、エステル系エラストマーから選ばれる１種もしくは２種以上の混合物からなる請求項１乃至請求項３のいずれかに記載の出没式ボールペン。
【発明の詳細な説明】
【技術分野】
【０００１】
操作によって、外装体内をボールペンチップペン先を備えるリフィルが前後移動可能となして、ボールペンチップペン先を外装体の先端開口部より突出状態及び没入状態にそれぞれ維持可能な出没式ボールペンに関し、文字の筆記や図画の描画、皮膚や爪などへの化粧料の塗布、糊や薬剤の塗布などに使用することのできるボールペンタイプの塗布具に関する。
【背景技術】
【０００２】
ボールペンチップペン先からのインキ漏れやインキ乾燥を抑制するために、キャップ内にゴム状弾性体のペン先密封部材を配置したキャップ式のボールペンが知られている（参考文献１参照）。また、キャップの着脱の手間がない筆記具として、ロータリーカム、ハートカムなどの出没係止機構を利用して、操作によって外装体の先端開口部よりのペン先の突出状態及び没入状態をなし、筆記可能状態、非筆記の収納状態を管理する出没式筆記具が知られている（特許文献２参照）。
【特許文献１】特開平０６−２８６３８８号公報
【特許文献２】特開平０９−０９９６９１号公報
【発明の開示】
【発明が解決しようとする課題】
【０００３】
特許文献１に記載の発明に開示されているキャップ式のボールペンでは、机上などから落下させてしまった場合の衝撃でキャップが外れ、インキが飛散する場合があった。出没式筆記具では、キャップが無いので落下などの衝撃でインキが飛散する危険の比較的高いものといえる。
【課題を解決するための手段】
【０００４】
本発明は、操作によって、外装体内をボールペンチップペン先を備えるリフィルが前後移動可能となして、ボールペンチップペン先を外装体の先端開口部より突出状態及び没入状態にそれぞれ維持可能な出没式ボールペンにおいて、前記外装体の先端開口部に、弾性材料を主体とした蓋体を、外装体の外に突出する部分があるように配置し、該蓋体が、外装体内に没入した状態の前記ボールペンチップペン先と接触し、該ボールペンチップペン先のインキ吐出口を閉塞状態に覆うことを特徴とした出没式ボールペンを要旨とするものである。
【発明の効果】
【０００５】
外装体の開口部に弾性材料を主体とした蓋体を、外装体の外に突出する部分があるように配置するので、落下した場合などに、この蓋体の外装体より突出した部分が衝突しても、ボールペンペン先との密閉性を増加する方向に力が働くのみであり、インキが飛散するような事態を極力回避することができる。
また、蓋体は弾性材料を主体としているので、ボールペンチップペン先に過度な熱や樹脂溶剤の混入の危険が無く、インキが変質したりボールペンチップ内に異物が混入することが極力回避される。
また、特に、蓋体に、外装体の開口部に設置された状態で外装体の外位置から外装体内にまで延在する凹部を形成したものでは、棒状の治具をこの凹部に挿入して、蓋体を外装体の開口に押し込むことにより容易に適正位置に設置させることができるものである。
【発明を実施するための最良の形態】
【０００６】
図面に基づいて、一例について説明する。
図１に示したものは、水性インキを内蔵するリフィル１を外装体２内に収容し、押しボタン３を前後動させることによってリフィル１の先端に備えられているボールペンチップペン先１ａを外装体２の先端開口部２ａより出没可能なノック式水性ボールペンの形態である。リフィル１は、ペン先１ａとインキ収容パイプ１ｂとこれらを連結させるペン先ホルダー１ｃとから構成されており、インキ収容パイプ１ｂは透明性の合成樹脂であるポリプロピレンの押し出し成型パイプである。外装体２は、先軸２ｂ、後軸２ｃ、尾冠２ｄとから構成され、先軸２ｂは弾性体のグリップ４が被嵌されている。後軸２ｃには押しボタン３が有する外方凸部３ａが突出する窓孔５が形成されており、外方凸部３ａは押しボタン３が前進した位置で尾冠２ｄが有するクリップ６の係止部６ａと係止可能となっている。押しボタン３の内段部３ｂにはリフィル１の後端が突き当たるようになっており、押しボタン３の前進によって外方凸部３ａが前進し、クリップ６の係止部６ａと嵌合することによってペン先１ａが外装体２の先端開口部２ａより突出状態に維持される。先軸２ｂの内部には、弾撥部材であるコイルスプリング７が設置されており、リフィル１のペン先ホルダー１ｃの段部に係合し、外装体２の先端開口部２ａよりペン先１ａが突出した状態ではコイルスプリング７が後方に弾撥付勢力を蓄積しながら縮められた状態となり、押しボタン３のクリップ６との係合が解除されるとコイルスプリングの弾撥力に押されてリフィル１が後退し、ペン先１ａの外装体２内への没入状態となる。外装体２の先端開口部２ａにゴム状弾性体からなる蓋体８が嵌められている。蓋体８は嵌着された状態でペン先１と当接しており、ペン先１のインキ吐出口を閉塞している。
【実施例】
【０００７】
図１にも説明した通り、蓋体８は嵌着された状態でペン先１と当接しており、ペン先１のインキ吐出口を閉塞している。蓋体８の部材の形状を図２にて説明する。全体としてはコップ型ともいえる有底筒状の形状を有しており、底部外面にはペン先が没入して当接する凹部８ａが形成され、側面に外装体２の開口縁との係合突起となる周状の外方突部８ｂが形成されている。凹部８ａはすり鉢形状や半球ドーム型など適宜の形状でよいが、凹部の側壁に該当する部分が斜め状に形成され、該部に当たったペン先が凹部８ａの中心に案内されるようになすことが好ましい。但し、側壁がペン先の側部にと周状に密接した後に更に移動する場合、凹部８ａにあらかじめ存在していた空気が閉じ込められて逃げ場を失った空気がペン先内に侵入してしまうことも考えられるので、空気を逃がしながら密閉する工夫が必要となる。また、外方突部８ｂは周状に位置する複数の突起であっても良い。ペン先と当接しない側の端部は外装体２の外に位置する部分であり、フランジ部８ｃとなっている。フランジ部８ｃは外装体の先端開口部内径よりも十分に大径であり、十分な厚みを有することによって衝撃吸収部分ともなっている。該フランジ部の外壁をペン先の大きさやインキ色などの表示部分として印刷などを施すこともできる。フランジ部８ｃの内側は有底の穴８ｅとなっているが、その底８ｄは外方突部８ｂの配置されている位置を超えてペン先１と当接する凹部８ａ近傍にまで達している。穴８ｅがあることによって、使用者が蓋体８を着脱するときに、摘むと全体的に縮径することとなり、取り付け、取り外しが容易となる。
【０００８】
蓋体８のセット状態を示す図１の要部拡大図である図３にも示す通り、蓋体８はペン先１に押し付けられるので、側部が外側に拡径した形状となり、外装体２の先端開口部２ａに対してはアンダーカット部が増加することとなり、より抜けにくい形状となる。尚、蓋体２は全体が弾性材料によって形成されているので、ペン先１が外装体２の内孔の中心位置よりずれた位置に来たとしても、自身が偏心してペン先の密閉保持を果たすことができる。また、セット状態で、フランジ部８ｃと外装体２の先端部との間に隙間９を形成しており、ペン先１の位置との関係をより補正しやすくなすとともに、衝撃吸収の機能上も有利となっている。
【０００９】
図４に蓋体８を外装体２にセットする方法の一つを説明する。外装体２の先端開口部２ａよりも十分に小径の棒状部材１０を穴８ｅに挿入した状態で先端開口部に挿入して押し込むことによって容易にセットできるというものである。棒状部材１０によって蓋体８の全体が弾性的に伸びて縮径し挿入が容易となるものである。但し、フランジ部８ｃを指で摘むなどして設置することを排除するものではない。
図５に蓋体８の他の一例を示す。
ペン先１と当接する側の外径が最も大径の部分となっているもので、外装体２の先軸２ｂの後方から蓋体を挿入し、内側より先端開口部２ａに到達させる。外装体２に設置する際に乗り越え部分を必要としないので、設置に大きな力を必要としないながら、衝撃が付与された際などの外れ難さを十分に発揮することが可能な例である。即ち、設置状態を説明する図６に示した通り、蓋体８の外装体２の内部に位置する部分を外装体の内径まで大径とすることができる。また、該部を十分に大径とできることにより、ペン先の位置がバラ付いたとしても当接できるので、密閉不良などがより発生しにくいものである。更に、複数のリフィルを収容する多芯式の出没式ボールペンとすることも可能となる。
【図面の簡単な説明】
【００１０】
【図１】一例を示す要部縦断面図。
【図２】部材を示す縦断面図。
【図３】図１の要部拡大図。
【図４】製造方法を示す図３相当図。
【図５】他の一例を示す部材の縦断面図。
【図６】他の一例の製造方法を示す図３相当図。
【符号の説明】
【００１１】
１  リフィル
１ａ  ペン先
１ｂ  インキ収容パイプ
１ｃ  ペン先ホルダー
２  外装体
２ａ  先端開口部
２ｂ  先軸
２ｃ  後軸
２ｄ  尾冠
３  押しボタン
３ａ  外方凸部
３ｂ  内段部
４  グリップ
５  窓孔
６  クリップ
６ａ  係止部
７  コイルスプリング
８  蓋体
８ａ  凹部
８ｂ  外方突部
８ｃ  フランジ部
８ｄ  底
８ｅ  穴
９  隙間
１０  棒状部材
【図１】
2006150863.tif 000003
【図２】
2006150863.tif 000004
【図３】
2006150863.tif 000005
【図４】
2006150863.tif 000006
【図５】
2006150863.tif 000007
【図６】
2006150863.tif 000008